(57)【要約】【課題】光による意外性によってユーザを惹きつける車両用灯具を実現することにある。【解決手段】リフレクタ５の上方に所定の距離を置いて第１インナーレンズ１０を配置し、リフレクタ５及び第１インナーレンズ１０の夫々の側方に、複数の第１光源１ａで構成された第１光源群１及び複数の第２光源２ａで構成された第２光源群２を配置した。第１光源群１の各第１光源１ａが点灯すると、夫々の第１光源１ａからの出射光Ｌ１がリフレクタ５の反射面６で反射されて反射光が第１インナーレンズ１０で光路制御されて外部に向けて出射され、第２光源群２の各第２光源２ａが点灯すると、夫々の第２光源２ａからの出射光Ｌ２が第１インナーレンズ１０で光路制御されて外部に向けて出射され、第１光源群１の点灯時と第２光源群２の点灯時とでは、互いに異なる出射パターン（観視者にとっては見え方）を有する光が出射される。【選択図】図２
2017208263.tif 000002
【特許請求の範囲】
【請求項１】
第１光源群と、第２光源群と、リフレクタと、第１インナーレンズと、を備え、
前記第１光源群は複数の第１光源で構成され、
前記第２光源群は複数の第２光源で構成され、
前記リフレクタは、板状を呈すると共に少なくとも一方の面に光反射面が形成され、
前記第１インナーレンズは、透明部材で形成された板状を呈すると共に少なくとも一方の面にレンズ面が形成され、
前記リフレクタの前記光反射面側の上方に前記第１インナーレンズが配置され、
前記リフレクタの側方に前記第１光源群が位置して前記リフレクタが該リフレクタの光反射面が前記第１光源群側を向くように傾斜配置され、
前記第１インナーレンズの側方に前記第２光源群が位置して前記第１インナーレンズが該第１インナーレンズのレンズ面が前記第２光源群側を向くように傾斜配置されていることを特徴とする車両用灯具。
【請求項２】
前記リフレクタは、不規則な自由曲面からなる凹凸面で構成されたフォーカス面を有しており、前記第１インナーレンズの複数のレンズ面は、前記第２光源群と平行な方向へ並設されていることを特徴とする請求項１に記載の車両用灯具。
【請求項３】
前記第１インナーレンズの前記リフレクタと反対側の上方に、透明部材で形成された板状を呈すると共に少なくとも一方の面にレンズ面が形成された第２インナーレンズが配置されており、前記第２インナーレンズのレンズ面は、複数のフルートカットレンズが形成されており、前記第１インナーレンズの複数のレンズ面の並設方向と直交する方向に並設されていることを特徴とする請求項１又は請求項２のいずれかに記載の車両用灯具。
【請求項４】
前記リフレクタと前記第１インナーレンズとの間に、透明部材で形成された板状を呈すると共に少なくとも一方の面にレンズ面が形成された第３インナーレンズが配置されており、前記第３インナーレンズの複数のレンズ面は、拡散面になっていることを特徴とする請求項３に記載の車両用灯具。
【請求項５】
前記第２光源群の前方近傍に、透明部材で形成された板状を呈すると共に少なくとも一方の面にレンズ面が形成された第４インナーレンズが配置されており、前記第４インナーレンズのレンズ面は、前記第１インナーレンズの複数のレンズ面の並設方向に対して垂直方向に複数並設されていることを特徴とする請求項４に記載の車両用灯具。
【請求項６】
前記第１インナーレンズの上方にスモークカバーが配置されていることを特徴とする請求項１又は請求項２のいずれかに記載の車両用灯具。
【請求項７】
前記第２インナーレンズの上方にスモークカバーが配置されていることを特徴とする請求項３〜請求項５のいずれかに記載の車両用灯具。
【発明の詳細な説明】
【技術分野】
【０００１】
本発明は、車両用灯具に関するものであり、詳しくは、同一面から出射パターン（観視者にとっては見え方）が異なる複数種の光が出射される車両用灯具に関する。
【背景技術】
【０００２】
従来、この種の車両用灯具としては、例えば、特許文献１に開示されたものがある。
【０００３】
開示された車両用灯具８０は、図１０に示すように、前面カバー８１の後面側に該前面カバー８１に沿って配置された、下端部に光源８２が配置された板状の導光板８３を備え、導光板８３の後方に、光源８５を覆うようにリフレクタ８６が配置されている。
【０００４】
これにより、光源８２からの出射光は、導光板８３内を導光されて表面８４から前面カバー８１側に向けて出射され、前面カバー８１を透過して外部に向けて出射される（出射光Ｌ１０）。一方、光源８５からの出射光は、リフレクタ８６で前面カバー８１側に向けて反射され、導光板８３の下方部分及び前面カバー８１を透過して外部に向けて出射される（出射光Ｌ１１）。
【先行技術文献】
【特許文献】
【０００５】
【特許文献１】特開２０１２−３８４２４号
【発明の概要】
【発明が解決しようとする課題】
【０００６】
ところで、上記構成からなる車両用灯具８０は、光出射方向前方から前面カバー８１を通して見た場合、光源８２の点灯時には導光板８３からの出射光が観視され、光源８５の点灯時にはリフレクタ８６による反射光が導光板８３の下方部分を透過して観視される。
【０００７】
そのため、導光板８３の下方部分からは、光源８２の点灯時と光源８５の点灯時とで異なる出射パターンを有する光Ｌ１０、Ｌ１１が出射されて、観視者にとっては見え方の異なる光が出射されることになる。それに対し、導光板８３の下方部分以外の領域からは、光源８２の点灯時の導光板８３からの出射光Ｌ１０のみが観視される。
【０００８】
したがって、前面カバー８１を通して見たとき、出射パターン（観視者にとっては見え方）が異なる複数種の光が出射される領域が限定されるため、光による意外性の演出に乏しく、ユーザを惹きつけるには不十分な演出効果と言える。
【０００９】
そこで、本発明は上記問題に鑑みて創案なされたもので、その目的とするところは、光による意外性によってユーザを惹きつける車両用灯具を実現することにある。
【課題を解決するための手段】
【００１０】
上記課題を解決するために、本発明の請求項１に記載された発明は、第１光源群と、第２光源群と、リフレクタと、第１インナーレンズと、を備え、前記第１光源群は複数の第１光源で構成され、前記第２光源群は複数の第２光源で構成され、前記リフレクタは、板状を呈すると共に少なくとも一方の面に光反射面が形成され、前記第１インナーレンズは、透明部材で形成された板状を呈すると共に少なくとも一方の面にレンズ面が形成され、前記リフレクタの前記光反射面側の上方に前記第１インナーレンズが配置され、前記リフレクタの側方に前記第１光源群が位置して前記リフレクタが該リフレクタの光反射面が前記第１光源群側を向くように傾斜配置され、前記第１インナーレンズの側方に前記第２光源群が位置して前記第１インナーレンズが該第１インナーレンズのレンズ面が前記第２光源群側を向くように傾斜配置されていることを特徴とするものである。
【００１１】
また、本発明の請求項２に記載された発明は、請求項１において、前記リフレクタは、不規則な自由曲面からなる凹凸面で構成されたフォーカス面を有しており、前記第１インナーレンズの複数のレンズ面は、前記第２光源群と平行な方向へ並設されていることを特徴とするものである。
【００１２】
また、本発明の請求項３に記載された発明は、請求項１又は請求項２のいずれかにおいて、前記第１インナーレンズの前記リフレクタと反対側の上方に、透明部材で形成された板状を呈すると共に少なくとも一方の面にレンズ面が形成された第２インナーレンズが配置されており、前記第２インナーレンズのレンズ面は、複数のフルートカットレンズが形成されており、前記第１インナーレンズの複数のレンズ面の並設方向と直交する方向に並設されていることを特徴とするものである。
【００１３】
また、本発明の請求項４に記載された発明は、請求項３において、前記リフレクタと前記第１インナーレンズとの間に、透明部材で形成された板状を呈すると共に少なくとも一方の面にレンズ面が形成された第３インナーレンズが配置されており、前記第３インナーレンズの複数のレンズ面は、拡散面になっていることを特徴とするものである。
【００１４】
また、本発明の請求項５に記載された発明は、請求項４において、前記第２光源群の前方近傍に、透明部材で形成された板状を呈すると共に少なくとも一方の面にレンズ面が形成された第４インナーレンズが配置されており、前記第４インナーレンズのレンズ面は、前記第１インナーレンズの複数のレンズ面の並設方向に対して垂直方向に複数並設されていることを特徴とするものである。
【００１５】
また、本発明の請求項６に記載された発明は、請求項１又は請求項２のいずれかにおいて、前記第１インナーレンズの上方にスモークカバーが配置されていることを特徴とするものである。
【００１６】
また、本発明の請求項７に記載された発明は、請求項３〜請求項５のいずれかにおいて、  前記第２インナーレンズの上方にスモークカバーが配置されていることを特徴とするものである。
【発明の効果】
【００１７】
本発明によれば、リフレクタの光反射面側の上方に第１インナーレンズを配置し、リフレクタの側方に第１光源群を配置し、第１インナーレンズの側方に第２光源群を配置した。
これにより、第１光源群の点灯時に、第１光源群を構成する複数の第１光源からの出射光がリフレクタの反射面で反射されて反射光が第１インナーレンズで光路制御されて外部に向けて出射され、第２光源群の点灯時に、第２光源群を構成する複数の第２光源からの出射光が第１インナーレンズで光路制御されて外部に向けて出射され、第１光源群１の点灯時と第２光源群２の点灯時とでは、互いに異なる出射パターン（観視者にとっては見え方）を有する光が出射される。
【００１８】
これにより、同一面から見え方の異なる光が出射される意外性によって、ユーザを惹きつける付加価値の高い車両用灯具を実現することができる。
【図面の簡単な説明】
【００１９】
【図１】第１の実施形態の概略斜視図である。
【図２】第１の実施形態の概略側面図である。
【図３】第２の実施形態の概略斜視図である。
【図４】第２の実施形態の概略側面図である。
【図５】第３の実施形態の概略斜視図である。
【図６】第３の実施形態の概略側面図である。
【図７】第４の実施形態の概略斜視図である。
【図８】第４の実施形態の概略側面図である。
【図９】レンズカットの説明図である。
【図１０】従来例の説明図である。
【発明を実施するための形態】
【００２０】
以下、この発明の好適な実施形態を図１〜図９を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２１】
図１は本発明の車両用灯具に係る第１の実施形態を光源側斜め下方から見た概略斜視図、図２は概略側面図である。
【００２２】
第１の実施形態は、２つの光源群（第１光源群１及び第２光源群２）と、第１光源群１に光学的に対応するリフレクタ５及び第２光源群２に光学的に対応するインナーレンズ（以下、「第１インナーレンズ」と呼称する）１０を有している。
【００２３】
第１光源群１は、第１光源群１を構成する複数の第１光源１ａが互いの光軸を同一方向に向けた状態で所定の間隔を置いて直線状に配置されており、同様に、第２光源群２は、第２光源群２を構成する複数の第２光源２ａが互いの光軸を同一方向に向けた状態で所定の間隔を置いて直線状に配置されている。
【００２４】
リフレクタ５は、板状を呈すると共に、少なくとも一方の面が不規則な自由曲面からなる凹凸面で構成されたフォーカス面もしくは平滑面による反射面（鏡面反射面）６を有している。一方、第１インナーレンズ１０は透明部材で形成され、上記リフレクタ５と同様に板状を呈すると共に、一方の面に複数の多角柱状のプリズムレンズが平行に並設されてなるプリズムカット（図９（ａ）参照）、又は複数の蒲鉾状の所謂フルートカットレンズが平行に並設されてなるフルートカット（図９（ｂ）参照）からなるレンズカット面１２を有している。本実施形態においては、蒲鉾状のフルートカットのレンズ面を８面にカットした多角柱状のプリズムレンズ１１（図９（ｃ）参照）からなるレンズカット面１２を有している。しかし、カットする数は４面以上カットされていればよく、カット数に応じて微細拡散の数を増やすことができるので、本実施形態に限る必要はない。
【００２５】
リフレクタ５と第１インナーレンズ１０とはほぼ同一の外形寸法を有すると共に、リフレクタ５の反射面６と対向する側（上側）に、レンズカット面１２をリフレクタ５と対向する側と反対側（上側）に位置させた状態で所定の間隔を置いて第１インナーレンズ１０が配置されている。
【００２６】
リフレクタ５と第１インナーレンズ１０との位置関係を第１インナーレンズ１０の上方から見ると、第１インナーレンズ１０の下方に第１インナーレンズ１０とほぼ全面が重なるようにリフレクタ５が位置している。
【００２７】
リフレクタ５が光学的に対応する第１光源群１はリフレクタ５の側方に位置し、第１インナーレンズ１０が光学的に対応する第２光源群２は第１インナーレンズ１０の側方に位置している。そのため、第２光源群２は第１光源群１の上方に、リフレクタ５と第１インナーレンズ１０との間隔とほぼ同様の間隔を保って配置されている。
【００２８】
なお、第１光源群１を構成する複数の第１光源１ａの配置方向と、第２光源群２を構成する複数の第２光源２ａの配置方向とは、ほぼ同一方向を向いている。
【００２９】
リフレクタ５は、反射面６が第１光源群１の方向を向くように第１光源群１側に向かって、第１光源群１の配置方向に沿う方向を傾斜支点の支点方向として、第１光源群１を構成する各第１光源１ａの光軸Ｘ１に対して所定の角度θ１で傾斜して配置されている。
【００３０】
一方、第１インナーレンズ１０は、レンズカット面１２が第２光源群２の方向を向くように第２光源群２側に向かって、第２光源群２の配置方向に沿う方向を傾斜支点の支点方向として、第２光源群２を構成する各第２光源２ａの光軸Ｘ２に対して所定の角度θ２で傾斜して配置されている。この場合、レンズカット面１２のレンズカットの方向は、各第２光源２ａの光軸Ｘ２に対して垂直方向に延びている。
【００３１】
換言すると、レンズカット面１２のレンズカットの方向は、第２光源群２を構成する複数の第２光源２ａの配置方向と同一方向を向いている。
【００３２】
そこで、第１光源群１を構成する第１光源１ａの夫々が点灯すると、各第１光源１ａから出射された光Ｌ１はリフレクタ５の、各第１光源１ａの光軸Ｘ１に対する傾斜面からなる反射面６に向かい、反射面６で上方に位置する第１インナーレンズ１０に向けて反射される。
【００３３】
このとき、リフレクタ５の反射面６が、不規則な自由曲面からなる凹凸面で構成されたフォーカス面を有し、且つ第１インナーレンズ１０のレンズカット面１２が、平行に並設された複数の、上方に凸の蒲鉾状のフルートカットの夫々のレンズ面を８面にカットして形成した多角柱状のプリズムカットレンズ１１を有する場合（図９（ｃ）参照）、リフレクタ５の反射面６による反射光は、輝度分布が穏やかな変化を有する広指向性の所謂ゆらぎ光となって第１インナーレンズ１０に至り、第１インナーレンズ１０内を導光されてレンズカット面１２で光路制御されて微細に拡散された拡散光が外部に向けて出射される。
【００３４】
一方、第２光源群２を構成する第２光源２ａの夫々が点灯すると、各第２光源２ａから出射された光Ｌ２は第１インナーレンズ１０の、各第２光源２ａの光軸Ｘ２に対する傾斜面からなるレンズカット面１２に向かい、レンズカット面１２を構成する各プリズムカットレンズ１１に向けて照射される。
【００３５】
各プリズムカットレンズ１１に照射された光は、その多くが夫々のプリズムカットレンズ１１の第２光源群２側の面１１ａでプリズムカットレンズ１１の延在方向上方に向けて反射され、一部は夫々のプリズムカットレンズ１１の第２光源群側の面１１ａで屈折してプリズムカットレンズ１１に入射した後、プリズムカットレンズ１１内を導光されてプリズムカットレンズ１１の第２光源群２側と反対側の面１１ｂで再度屈折してプリズムカットレンズ１１の延在方向上方に向けて出射される。
【００３６】
これを、第１インナーレンズ１０の上方から見ると、第１光源群１の点灯時には、リフレクタ５で反射されて第１インナーレンズ１０のレンズカット面１２で透過拡散された微細拡散光が観視され、第２光源群２の点灯時には、第１インナーレンズ１０の各プリズムカットレンズ１１で反射及び屈折することにより各プリズムカットレンズ１１に沿って拡張された複数の長い輝線（光の筋）が観視される。
【００３７】
このように、第１光源群１と第２光源群２の点灯切り替えによって、同一面（上記第１の実施形態においては第１インナーレンズ１０のレンズカット面１２）の全面から出射パターン（観視者にとっては見え方）の異なる光が出射される。そのため、光による意外性の演出が効果的に行われ、ユーザを惹きつけるための十分に魅力的な演出効果を実現することができる。
【００３８】
次に、第２の実施形態について図３及び図４を参照して説明する。図３は第２の実施形態を光源側斜め下方から見た概略斜視図、図４は概略側面図である。
【００３９】
第２の実施形態は、上述した第１の実施形態に対して、第１インナーレンズ１０の上方に所定の間隔を置いて第２インナーレンズ２０が配置されている。
【００４０】
第２インナーレンズ２０は、第１インナーレンズ１０と同様に透明部材で形成されると共に板状を呈しており、複数の蒲鉾状のフルートカットレンズ２１が平行に並設されてなるフルートカットからなるレンズカット面２２を有している。
【００４１】
第１インナーレンズ１０の上方に位置する第２インナーレンズ２０は、第１インナーレンズ１０側にレンズカット面２２を有し、レンズカット面２２を構成する複数のフルートカットレンズ２１は、第１インナーレンズ１０側に凸で第１インナーレンズ１０のプリズムカットレンズ１１の並設方向に直交する方向に並設されている。
【００４２】
換言すると、レンズカット面２２のレンズカットの方向は、第２光源群２を構成する各第２光源２ａの光軸Ｘ２に対して平行方向に延びている。
【００４３】
リフレクタ５と第１インナーレンズ１０と第２インナーレンズ２０の位置関係を第２インナーレンズ２０の上方から見ると、第２インナーレンズ２０の下方に第２インナーレンズ２０とほぼ全面が重なるように第１インナーレンズ１０及びリフレクタ５が位置している。
【００４４】
そこで、第１光源群１を構成する第１光源１ａの夫々が点灯すると、各第１光源１ａから出射された光Ｌ１はリフレクタ５の反射面６に向かい、反射面６で上方に位置する第１インナーレンズ１０に向けて反射される。
【００４５】
リフレクタ５の反射面６による反射光は、輝度分布が穏やかな変化を有する広指向性の所謂ゆらぎ光となって第１インナーレンズ１０に至り、第１インナーレンズ１０内を導光されてレンズカット面１２で光路制御されて微細に拡散された拡散光がレンズカット面１２の上方に位置する第２インナーレンズ２０に向けて出射される。
【００４６】
第１インナーレンズ１０のレンズカット面１２から第２インナーレンズ２０に向けて出射された微細に拡散された拡散光は、第２インナーレンズ２０内を導光されてレンズカット面２２で光路制御されて更に微細に拡散された拡散光が外部に向けて出射される。
【００４７】
一方、第２光源群２を構成する第２光源２ａの夫々が点灯すると、各第２光源２ａから出射された光Ｌ２は、第１インナーレンズ１０のレンズカット面１２に向かい、レンズカット面１２を構成する各プリズムカットレンズ１１に照射される。
【００４８】
各プリズムカットレンズ１１に照射された光は、その多くが夫々のプリズムカットレンズ１１の第２光源群２側の面１１ａでプリズムカットレンズ１１の延在方向上方に向けて反射され、一部は夫々のプリズムカットレンズ１１の第２光源群側の面１１ａで屈折してプリズムカットレンズ１１に入射した後、プリズムカットレンズ１１内を導光されてプリズムカットレンズ１１の第２光源群２側と反対側の面１１ｂで再度屈折してプリズムカットレンズ１１の延在方向上方に向けて出射される。
【００４９】
第１インナーレンズ１０のレンズカット面１２からレンズカット面１２を構成するプリズムカットレンズ１１の延在方向上方に向けて出射された光は、第１インナーレンズ１０の各プリズムカットレンズ１１で反射及び屈折することにより各プリズムカットレンズ１１に沿って拡張された複数の長い輝線（光の筋）となって上方に位置する第２インナーレンズ２０のレンズカット面２２に至り、レンズカット面２２を構成するフルートカットレンズ２１でフルートレンズカット２１の延在方向に対する垂直方向に集光されて輝線の輝度均一化が図られ、その後第２インナーレンズ２０のレンズカット面２２の反対側の面（上面）から外部に向けて出射される。
【００５０】
これを、第２インナーレンズ２０の上方から見ると、第１光源群１の点灯時には、リフレクタ５で反射されて第１インナーレンズ１０で透過拡散された微細拡散光が第２インナーレンズ２０で更に微細に拡散されてその更なる微細拡散光が観視され、第２光源群２の点灯時には、第１インナーレンズ１０の各プリズムカットレンズ１１で反射及び屈折することにより各プリズムカットレンズ１１に沿って拡張された複数の長い輝線（光の筋）が第２インナーレンズ２０のレンズカット面２２で集光されて輝度均一化された輝線（光の筋）が観視される。
【００５１】
ところで、上記第１の実施形態と第２の実施形態とを比較した場合、両実施形態の違いは、配光制御を行うレンズとして、第１の実施形態においては第１インナーレンズ１０が最上位に位置しているのに対し、第２の実施形態においては第１インナーレンズ１０の上方に配置された第２インナーレンズ２０が最上位に位置している。
【００５２】
そこで、第１の実施形態においては、各第２光源２ａから出射して最上位に位置する第１インナーレンズ１０で光路制御された光は、第１インナーレンズ１０の反射光によるものが多い。そのため、第１インナーレンズ１０によって光路制御された光（輝線状の光）を第１インナーレンズ１０の上方から見ると、見る角度によって輝線の位置が変わったり、或いはゆがんで見えることになる。
【００５３】
これに対し、第２の実施形態においては、最上位に位置する第２インナーレンズ２０で光路制御された光は第２インナーレンズ２０内を導光されたものであり、そのため第２インナーレンズ２０からの出射光は第２インナーレンズ２０を起点（具体的には、第２インナーレンズ２０のレンズカット面２２と反対側の上面（光出射面）を起点）として外部に向けて出射される。そのため、第２インナーレンズ２０によって光路制御された光（輝線状の光）を第２インナーレンズ２０の上方から見ると、見る角度が変わっても輝線の位置が変わることがなく、第２インナーレンズ２０の一定の位置に固定された状態に見える。これにより、観視者に対して違和感のない斬新な輝線を提供することができる。
【００５４】
なお、第２インナーレンズ２０の上方には、光路制御には寄与しない平板状の素通しのスモークカバー３が配置されている。これにより、第１光源群１及び第２光源群２の非点灯時に、下方に位置する諸レンズ（第１インナーレンズ１０及び第２インナーレンズ２０）及びリフレクタ５が目立たないようにして見栄えの向上を図っている。
【００５５】
次に、第３の実施形態について図５及び図６を参照して説明する。図５は第３の実施形態を光源側斜め下方から見た概略斜視図、図６は概略側面図である。
【００５６】
第３の実施形態は、上述した第２の実施形態に対して、リフレクタ５と第１インナーレンズ１０との間にリフレクタ５と第１インナーレンズ１０の夫々に対して所定の間隔を置いて第３インナーレンズ３０が配置されている。
【００５７】
第３インナーレンズ３０は、少なくともリフレクタ５に対向する側の面（下面）３１に、不規則な光ゆらぎ面あるいは光拡散面を有している。この不規則な光ゆらぎ面あるいは光拡散面は、プリズムカットやフルートカット等を基調とする微細カットを不規則に設けた不規則レンズカット面、あるいはハーフミラーやアルミ膜をレーザ加工によって不規則に微細に除去した面で構成されている。
【００５８】
これにより、第１光源群１を構成する各第１光源１ａから出射してリフレクタ５の反射面６で反射された、輝度分布が穏やかな変化を有する広指向性のゆらぎ光が、上方に位置する第３インナーレンズ３０によって更に輝度分布が穏やかな変化を有する広指向性のゆらぎ光となって上方に位置する第１インナーレンズ１０及び第２インナーレンズ２０を導光して外部に向けて出射される。
【００５９】
これを、スモークカバー３の上方から見ると、第１光源群１の点灯時には、第１インナーレンズ１０及び第２インナーレンズ２０が配置されたときに観視された微細拡散光が、第３インナーレンズ３０を配置することにより第３インナーレンズ３０によって更に微細に拡散されて更なる優れた見栄えの微細拡散光が観視される。
【００６０】
これに対し、第２光源群２の点灯時には、第２光源群２からの出射光はその光路に第３インナーレンズ３０が介在しないため、スモークカバー３の上方から見ると第３インナーレンズ３０の有無に関わらず同じ見え方の輝線が観視される。
【００６１】
次に、第４の実施形態について図７及び図８を参照して説明する。図７は第４の実施形態を光源側斜め下方から見た概略斜視図、図８は概略側面図である。
【００６２】
第４の実施形態は、上述した第３の実施形態に対して、第２光源群２の前方近傍に第２光源群２を構成する複数の第２光源２ａの配置方向に沿って第４インナーレンズ４０が配置されている。
【００６３】
第４インナーレンズ４０は、第１インナーレンズ１０に対向する側に、第２光源群２を構成する複数の第２光源２ａの配置方向に垂直方向に延びる複数の三角柱状のプリズムレンズが、第２光源２ａの配置方向に平行に並設されてなるプリズムカットからなるレンズカット面４１を有している。換言すると、第４インナーレンズ４０の複数の三角柱状のプリズムレンズの延在方向は、第１インナーレンズ１０の複数のプリズムカットレンズ１１の延在方向に対して垂直方向となっている。
【００６４】
これにより、第２光源群２から出射した光は、第４インナーレンズ４０のレンズカット面４１で第４インナーレンズ４０の前方に位置する第１インナーレンズ１０の、レンズカット面１２を構成する各プリズムカットレンズ１１の延在方向に沿う方向に拡張される。
【００６５】
そして、第４インナーレンズ４０で拡張された光は、第１インナーレンズ１０のレンズカット面１２に向かい、レンズカット面１２を構成する各プリズムカットレンズ１１に照射される。
【００６６】
各プリズムカットレンズ１１に照射された光は、その多くが夫々のプリズムカットレンズ１１の第２光源群２側の面１１ａでプリズムカットレンズ１１の延在方向上方に向けて反射され、一部は夫々のプリズムカットレンズ１１の第２光源群側の面１１ａで屈折してプリズムカットレンズ１１に入射した後、プリズムカットレンズ１１内を導光されてプリズムカットレンズ１１の第２光源群側と反対側の面１１ｂで再度屈折してプリズムカットレンズ１１の延在方向上方に向けて出射される。
【００６７】
これを、スモークカバー３の上方から見ると、第２光源群２の点灯時には、第１インナーレンズ１０及び第２インナーレンズ２０が配置されたときに観視された複数の長い輝線（光の筋）が、第４インナーレンズ４０を配置することにより第４インナーレンズ４０によって更に拡張（延長）された輝線が本数を増やして観視される。
【００６８】
これに対し、第１光源群１の点灯時には、第１光源群１からの出射光はその光路に第４インナーレンズ４０が介在しないため、スモークカバー３の上方から見ると第４インナーレンズ４０の有無に関わらず同じ見え方の微細拡散光が観視される。
【００６９】
なお、上記第１の実施形態〜第４の実施形態において、第１光源群１を構成する第１光源１ａ及び第２光源群２を構成する第２光源２ａはいずれも、例えば半導体発光素子からなり、具体的にはＬＥＤなどが用いられる。
【００７０】
また、第１光源１ａと第２光源２ａとを互いに発光色が異なる光源とすることにより、第１光源１ａの点灯時と第２光源２ａの点灯時で、異なる色相で異なる出射パターンを有する出射光を得ることができる。これにより、光による演出効果を更に高めることができる。
【００７１】
以上説明したように、本発明の車両用灯具は、複数の第１光源１ａで構成された第１光源群１、複数の第２光源２ａで構成された第２光源群２、リフレクタ５及び第１インナーレンズ１０を基本構成として、その基本構成に対して光路制御に寄与する適宜な光路制御手段を施したインナーレンズを適宜な位置に適宜な方向に向けて配置することにより、第１光源群１と第２光源群２の夫々の点灯時に同一面から見え方の異なる光が出射される。
【００７２】
そのため、同一面の全面から、見え方の異なる光が出射される意外性によって、ユーザを惹きつける付加価値の高い車両用灯具を実現することができる。
【符号の説明】
【００７３】
１…  第１光源群
１ａ…  第１光源
２…  第２光源群
２ａ…  第２光源
３…  スモークカバー
５…  リフレクタ
６…  反射面（鏡面反射面）
１０…  第１インナーレンズ
１１…  プリズムカットレンズ
１１ａ…  第２光源群側の面
１１ｂ…  第２光源群側と反対側の面
１２…  レンズカット面
２０…  第２インナーレンズ
２１…  フルートカットレンズ
２２…  レンズカット面
３０…  第３インナーレンズ
３１…  下面
４０…  第４インナーレンズ
４１…  レンズカット面
【図１】
2017208263.tif 000003
【図２】
2017208263.tif 000004
【図３】
2017208263.tif 000005
【図４】
2017208263.tif 000006
【図５】
2017208263.tif 000007
【図６】
2017208263.tif 000008
【図７】
2017208263.tif 000009
【図８】
2017208263.tif 000010
【図９】
2017208263.tif 000011
【図１０】
2017208263.tif 000012